(57)【要約】【課題】  通常の過負荷保護器と同一仕様のヒータとバイメタルを使用して、起動装置の省エネ化を図ることができる過負荷保護器を提供する。【解決手段】  圧縮機電動機の起動完了後に起動装置の正特性サーミスタに流れ続ける無駄な電流を遮断するサーモスイッチ部は、プロテクタ部ケースのヒータ収容部壁面と一体になって外側に形成されたサーモスイッチ収納部に組み込まれて樹脂製の第２のカバーで蓋をされ、圧縮機電動機の運転による圧縮機外郭表面雰囲気の温度上昇と、ヒータの発熱によるヒータ収容部壁面の温度上昇とで加熱されて開路することで、正特性サーミスタの電流を遮断するようにした。【選択図】図２
0003160946.tif 000002
【実用新案登録請求の範囲】
【請求項１】
固定接点を支持する固定接点板と、前記固定接点に接触する可動接点を支持する可動接点板と、該可動接点板を揺動させ前記固定接点と可動接点との接触を断つバイメタルと、固定接点と可動接点とに直列に接続され前記バイメタルを加熱するヒータ等から成り、樹脂製のケースとカバーにより密閉、又は開口部の少ない状態で収納された圧縮機電動機を保護するプロテクタ部と、
第２の固定接点と第２の可動接点、及び第２のバイメタルから成り、圧縮機電動機を起動するための正特性サーミスタによる起動装置に直列接続される常時閉路のサーモスイッチ部とで構成された過負荷保護器において、
前記サーモスイッチ部は、前記プロテクタ部ケースのヒータ収容部壁面と一体になって外側に形成されたサーモスイッチ収納部に組み込まれて樹脂製の第２のカバーで蓋をされ、圧縮機電動機の運転による圧縮機外郭表面雰囲気の温度上昇と、ヒータの発熱によるヒータ収容部壁面の温度上昇とで加熱されて開路することで、前記正特性サーミスタの電流を遮断するようにしたことを特徴とする過負荷保護器。
【請求項２】
圧縮機の外郭に配設されて、前記外郭の内側で圧縮機電動機の主巻線と起動巻線が接続された３ピンガラスターミナルの外側の１ピンに、前記プロテクタ部のカバーの切り欠き部を通して外部へ突出している前記固定接点板の溶接代に溶接固定されたピン端子を挿入して、電気的に接続すると同時に固定し、圧縮機の外郭に近接して取付ることで圧縮機の熱を受けやすくしたことを特徴とする請求項１記載の過負荷保護器。
【請求項３】
前記サーモスイッチ部第２の可動接点は、接点を２個使用した双子接点としたことを特徴とする請求項１もしくは２記載の過負荷保護器。
【請求項４】
前記サーモスイッチ部第２のバイメタルに、熱伝導性の良い固有抵抗の小さなバイメタルを使用したことを特徴とする請求項１ないし３記載の過負荷保護器。
【請求項５】
前記サーモスイッチ部第２のバイメタルに、絞り等のフォーミング加工を施さないフラット板を使用してスローアクションバイメタルとしたことを特徴とする請求項１ないし４記載の過負荷保護器。
【請求項６】
固定接点を支持する固定接点板と、前記固定接点に接触する可動接点を支持する可動接点板と、該可動接点板を揺動させ前記固定接点と可動接点との接触を断つバイメタルと、固定接点と可動接点とに直列に接続され前記バイメタルを加熱するヒータ等から成り、樹脂製のケースとカバーにより密閉、又は開口部の少ない状態で収納された圧縮機電動機を保護するプロテクタ部と、
第２の固定接点と第２の可動接点、及び第２のバイメタルから成り、圧縮機電動機を起動するための正特性サーミスタによる起動装置に直列接続される常時閉路のサーモスイッチ部とで構成された過負荷保護器において、
前記サーモスイッチ部は、第２のケースに収納されて第２のカバーで蓋をされ、前記プロテクタ部ケースのヒータ収容部壁面外側に形成されたスライド式の連結溝部に勘合する連結爪部を有し、スライドさせて嵌め込むことでプロテクタ部と一体化でき、圧縮機電動機の運転による圧縮機外郭表面雰囲気の温度上昇と、ヒータの発熱によるヒータ収容部壁面の温度上昇とで加熱されて開路することで、前記正特性サーミスタの電流を遮断するようにしたことを特徴とする過負荷保護器。
【請求項７】
固定接点を支持する固定接点板と、前記固定接点に接触する可動接点を支持する可動接点板と、該可動接点板を揺動させ前記固定接点と可動接点との接触を断つバイメタルと、固定接点と可動接点とに直列に接続され前記バイメタルを加熱するヒータ等から成り、樹脂製のケースとカバーにより密閉、又は開口部の少ない状態で収納された圧縮機電動機を保護するプロテクタ部と、
第２の固定接点と第２の可動接点、及び第２のバイメタルから成り、圧縮機電動機を起動するための正特性サーミスタによる起動装置に直列接続される常時閉路のサーモスイッチ部とで構成された過負荷保護器において、
前記サーモスイッチ部は、金属製の外郭を有するサーモスイッチを樹脂製のホルダに嵌め込み、該樹脂製のホルダは、前記プロテクタ部ケースのヒータ収容部壁面外側に形成されたスライド式の連結溝部に勘合する連結爪部を有し、スライドさせて嵌め込むことでプロテクタ部と一体化できると共に、前記金属製の外郭の一面が前記プロテクタ部ケースのヒータ収容部壁面外側にほぼ密着し、前記圧縮機電動機の運転による圧縮機外郭表面雰囲気の温度上昇と、ヒータの発熱によるヒータ収容部壁面の温度上昇とで加熱されて開路することで、前記正特性サーミスタの電流を遮断するようにしたことを特徴とする過負荷保護器。
【請求項８】
正特性サーミスタによる起動装置に設けた過負荷保護器収容部に嵌め込んで、起動装置と一体的に圧縮機の外郭に配設された３ピンガラスターミナルに取付可能としたことを特徴とする請求項１ないし７記載の過負荷保護器。
【請求項９】
請求項１ないし８のいずれかの過負荷保護器を用いた機器。
【考案の詳細な説明】
【技術分野】
【０００１】  本考案は、空調機器や電気冷蔵庫等の冷凍サイクルを構成する圧縮機を保護すると共に、圧縮機電動機の起動装置の省エネ化を図るのに好適な過負荷保護器およびこれを用いた機器に関する。
【背景技術】
【０００２】  例えば、冷蔵庫，空気調和機等の圧縮機を駆動する単相誘導電動機において過負荷保護器と共に起動装置が設けられる。従来のこの種の起動装置としては、図８に示すように、主巻線６１とともに交流電源９０によって通電される起動巻線６２に直列に正特性サーミスタ起動装置５０を接続する構成のものが供されている。このような起動装置においては、圧縮機電動機６０の起動時には、正特性サーミスタが低電気抵抗値を呈することから、起動巻線６２に起動巻線電流が流れる。起動巻線電流により正特性サーミスタが自己発熱して高抵抗になり、起動巻線６２への電流が制限される。この構成では、圧縮機電動機の起動完了後の定常運転中においても、正特性サーミスタには起動巻線６２に生じる誘起電圧の影響で通常電源電圧よりも高目の電圧が印加されて自己発熱し続けるので、常に、２〜４Ｗ程度の電力を消費するようになり、省エネルギー上問題がある。
【先行技術文献】
【特許文献】
【０００３】  そこで従来より、圧縮機電動機の起動完了後に、起動装置に直列接続したサーモスイッチを開路させて正特性サーミスタの電流を遮断する方式が、例えば、特許文献１〜特許文献３に開示されている。
【特許文献１】公開特許公報平１１−３１４４５
【特許文献２】公開特許公報昭５６−１６２９８５
【特許文献３】公開特許公報平４−２８９７８６
【０００４】  特許文献１の発明は、サーモスイッチと直列に第２のヒータを設け、サーモスイッチのバイメタルをプロテクタ部のヒータと前記第２のヒータとで両面から加熱し、サーモスイッチが開路した後はプロテクタ部のヒータのみで開路状態を維持する構成で、プロテクタ部のヒータとサーモスイッチのバイメタルの間には壁が無く、開放状態となっている。【０００５】  これにより、圧縮機電動機の起動完了後サーモスイッチを短時間で開路させる効果が期待できる反面、プロテクタ部のヒータは省エネ機能を有しない通常の過負荷保護器のヒータより発熱を多くしなければならず、省エネ効果を損なうのみでなく、発熱の多い省エネ形過負荷保護器専用のヒータを使用して、容量の違い等で機種の多い圧縮機との保護特性のマッチングを再検討する必要があり、多大な時間と労力を要する。【０００６】  特許文献２の発明は、サーモスイッチのバイメタルをプロテクタ部のヒータと起動装置の正特性サーミスタとの少なくとも一方が発生する熱で加熱して、サーモスイッチの開路後はプロテクタ部のヒータのみで開路状態を維持する構成であるが、この構造もプロテクタ部のヒータとサーモスイッチのバイメタルの間には壁が無く、特許文献１と同様の問題を有しているばかりでなく、圧縮機への取付も考慮されていない。【０００７】  次に、特許文献３の発明は、正特性サーミスタに直列接続されプロテクタ部のヒータに熱結合されたサーモスイッチが、起動電流が流れた際にヒータで発生する熱を受けることにより開路するように構成されている。【０００８】  単相誘導電動機の起動電流は一般的に定格電流の数倍であり、ヒータの発熱はその２乗となるので起動の瞬間の発熱は非常に大きくなるものの、圧縮機電動機の起動に要する時間は通常１秒前後しかなく、電力と時間の積に比例する発熱量は大きくはない。従って、構造は示されてないが起動電流によるヒータの発熱でサーモスイッチを開路させるには、ヒータとサーモスイッチの間は壁が無い近接状態にし、更に、ヒータの発熱も省エネ機能を有しない通常の過負荷保護器のヒータより相当大きくしないと成り立たず、特許文献１、及び特許文献２と同様の問題を有している。
【考案の概要】
【考案が解決しようとする課題】
【０００９】  本考案は、上述した課題を解決するためになされたものであり、その目的とするところは、通常の過負荷保護器と同一のヒータ仕様で、圧縮機電動機の起動装置が消費する２〜４Ｗ程度の無駄な電力をカットできる省エネ機能を有した過負荷保護器を提供することにある。
【課題を解決するための手段】
【００１０】  上記目的を達成するため、請求項１の考案は、固定接点を支持する固定接点板と、前記固定接点に接触する可動接点を支持する可動接点板と、該可動接点板を揺動させ前記固定接点と可動接点との接触を断つバイメタルと、固定接点と可動接点とに直列に接続され前記バイメタルを加熱するヒータ等から成り、樹脂製のケースとカバーにより密閉、又は開口部の少ない状態で収納された圧縮機電動機を保護するプロテクタ部と、
第２の固定接点と第２の可動接点、及び第２のバイメタルから成り、圧縮機電動機を起動するための正特性サーミスタによる起動装置に直列接続される常時閉路のサーモスイッチ部とで構成された過負荷保護器において、
前記サーモスイッチ部は、前記プロテクタ部ケースのヒータ収容部壁面と一体になって外側に形成されたサーモスイッチ収納部に組み込まれて樹脂製の第２のカバーで蓋をされ、圧縮機電動機の運転による圧縮機外郭表面雰囲気の温度上昇と、ヒータの発熱によるヒータ収容部壁面の温度上昇とで加熱されて開路することで、前記正特性サーミスタの電流を遮断するようにしたことを技術的特徴とする。【００１１】  請求項２の考案は、請求項１記載の過負荷保護器において、圧縮機の外郭に配設されて、前記外郭の内側で圧縮機電動機の主巻線と起動巻線が接続された３ピンガラスターミナルの外側の１ピンに、前記プロテクタ部のカバーの切り欠き部を通して外部へ突出している前記固定接点板の溶接代に溶接固定されたピン端子を挿入して、電気的に接続すると同時に固定し、圧縮機の外郭に近接して取付ることで圧縮機の熱を受けやすくしたことを技術的特徴とする。【００１２】  請求項３の考案は、請求項１もしくは２記載の過負荷保護器において、サーモスイッチ部第２の可動接点は、接点を２個使用した双子接点としたことを技術的特徴とする。【００１３】  請求項４の考案は、請求項１ないし３記載の過負荷保護器において、サーモスイッチ部第２のバイメタルに、熱伝導性の良い固有抵抗の小さなバイメタルを使用したことを技術的特徴とする。【００１４】  請求項５の考案は、請求項１ないし４記載の過負荷保護器において、サーモスイッチ部第２のバイメタルに、絞り等のフォーミング加工を施さないフラット板を使用してスローアクションバイメタルとしたことを技術的特徴とする。【００１５】  請求項６の考案は、固定接点を支持する固定接点板と、前記固定接点に接触する可動接点を支持する可動接点板と、該可動接点板を揺動させ前記固定接点と可動接点との接触を断つバイメタルと、固定接点と可動接点とに直列に接続され前記バイメタルを加熱するヒータ等から成り、樹脂製のケースとカバーにより密閉、又は開口部の少ない状態で収納された圧縮機電動機を保護するプロテクタ部と、
第２の固定接点と第２の可動接点、及び第２のバイメタルから成り、圧縮機電動機を起動するための正特性サーミスタによる起動装置に直列接続される常時閉路のサーモスイッチ部とで構成された過負荷保護器において、
前記サーモスイッチ部は、第２のケースに収納されて第２のカバーで蓋をされ、前記プロテクタ部ケースのヒータ収容部壁面外側に形成されたスライド式の連結溝部に勘合する連結爪部を有し、スライドさせて嵌め込むことでプロテクタ部と一体化でき、圧縮機電動機の運転による圧縮機外郭表面雰囲気の温度上昇と、ヒータの発熱によるヒータ収容部壁面の温度上昇とで加熱されて開路することで、前記正特性サーミスタの電流を遮断するようにしたことを技術的特徴とする。【００１６】  請求項７の考案は、固定接点を支持する固定接点板と、前記固定接点に接触する可動接点を支持する可動接点板と、該可動接点板を揺動させ前記固定接点と可動接点との接触を断つバイメタルと、固定接点と可動接点とに直列に接続され前記バイメタルを加熱するヒータ等から成り、樹脂製のケースとカバーにより密閉、又は開口部の少ない状態で収納された圧縮機電動機を保護するプロテクタ部と、
第２の固定接点と第２の可動接点、及び第２のバイメタルから成り、圧縮機電動機を起動するための正特性サーミスタによる起動装置に直列接続される常時閉路のサーモスイッチ部とで構成された過負荷保護器において、
前記サーモスイッチ部は、金属製の外郭を有するサーモスイッチを樹脂製のホルダに嵌め込み、該樹脂製のホルダは、前記プロテクタ部ケースのヒータ収容部壁面外側に形成されたスライド式の連結溝部に勘合する連結爪部を有し、スライドさせて嵌め込むことでプロテクタ部と一体化できると共に、前記金属製の外郭の一面が前記プロテクタ部ケースのヒータ収容部壁面外側にほぼ密着し、前記圧縮機電動機の運転による圧縮機外郭表面雰囲気の温度上昇と、ヒータの発熱によるヒータ収容部壁面の温度上昇とで加熱されて開路することで、前記正特性サーミスタの電流を遮断するようにしたことを技術的特徴とする。【００１７】  請求項８の考案は、請求項１ないし７記載の過負荷保護器を、正特性サーミスタによる起動装置に設けた過負荷保護器収容部に嵌め込んで、起動装置と一体的に圧縮機の外郭に配設された３ピンガラスターミナルに取付可能としたことを技術的特徴とする。
【考案の効果】
【００１８】  請求項１の過負荷保護器では、プロテクタ部が樹脂製のケースとカバーにより密閉、又は開口部の少ない状態で収納されているので、ヒータやバイメタルの特性は省エネ機能を有しない通常の過負荷保護器のヒータやバイメタルをそのまま使用でき、ヒータの発熱を増やす必要がないため省エネ効果を損なうことがなく、容量の違い等で機種の多い圧縮機との保護特性のマッチングを再検討する必要もない。【００１９】  請求項２の過負荷保護器では、圧縮機外郭に配設された３ピンガラスターミナルの１ピンに、ピン端子を挿入して接続すると同時に固定することで、圧縮機外郭に近接して取付られるため圧縮機の熱を受けやすく、サーモスイッチ部の温度を高く保つことができるので、圧縮機電動機の起動時にはプロテクタ部ヒータ収容部壁面の温度上昇を受けて短時間でサーモスイッチを開路することができる。【００２０】  本考案の過負荷保護器で省エネ効果を十分に発揮させるには、サーモスイッチは圧縮機電動機の起動時にはプロテクタ部ヒータ収容部壁面の温度上昇を素早く感知して開路し、電動機停止時には圧縮機外郭表面雰囲気の温度が高い状態でも前記ヒータ収容部壁面の温度下降を感知し確実に閉路して次の起動に備える必要があり、開温度と閉温度の差はできるだけ小さくするのが望ましい。
請求項３の過負荷保護器では、サーモスイッチ部第２の可動接点を、接点を２個使用した双子接点としたことで、開温度と閉温度の差を大きくできず、結果として接点圧力が小さいサーモスイッチの接触不良を防止することができる。【００２１】  請求項４の過負荷保護器では、サーモスイッチ部第２のバイメタルに、熱伝導性の良い固有抵抗の小さなバイメタルを使用したことで、圧縮機電動機の起動時にはプロテクタ部ヒータ収容部壁面の温度上昇を素早く感知することができ、短時間でサーモスイッチを開路することができる。【００２２】  請求項５の過負荷保護器では、サーモスイッチ部第２のバイメタルに、絞り等のフォーミング加工を施さないフラット板を使用してスローアクションバイメタルとしたことで、開温度と閉温度の差をほぼゼロにすることができ、プロテクタ部ヒータ収容部壁面温度の上昇・下降で確実に開閉できる。又、絞り等のフォーミング加工が不要なため低コストとなると共に、バイメタル動作時の応力が小さく長寿命となる。【００２３】  請求項６の過負荷保護器では、プロテクタ部とサーモスイッチ部の各々のケースとカバーが別になっており、スライド式の連結部で一体化できる構造なので、省エネ機能を必要としない客先にはプロテクタ部単体で販売することができる。更に容量の違い等で機種の多い圧縮機に保護特性を合わせるため多品種となるプロテクタ部と、種類は少ないが複数品種が必要なサーモスイッチ部を別々に生産して在庫すればよく、在庫数の低減と、並行生産により納期の短縮を図ることができる。【００２４】  請求項７の過負荷保護器では、サーモスイッチの外郭を熱伝導の良い金属製とし、前記外郭の一面がプロテクタ部ケースのヒータ収容部壁面外側にほぼ密着しているため、ヒータの発熱によるヒータ収容部壁面の温度上昇を素早く感知して開路することができる。【００２５】  請求項８の過負荷保護器では、正特性サーミスタによる起動装置に設けた過負荷保護器収容部に嵌め込んで、起動装置と一体的に圧縮機外郭に配設された３ピンガラスターミナルに取付可能としたので、圧縮機への取付がワンタッチで完了し、客先である圧縮機メーカー、あるいは冷蔵庫メーカーでの作業性が向上する。
【図面の簡単な説明】
【００２６】
【図１】本考案の第１実施形態に係る過負荷保護器の構成を示し、図１（Ａ）は平面図であり、図１（Ｂ）は等角投影図であり、図１（Ｃ）は正面図であり、図１（Ｄ）は右側面図である。
【図２】図２（Ａ）は図１に示す過負荷保護器の背面図であり、図２（Ｂ）はＡ１−Ａ２で切断した矢視図であり、図２（Ｃ）はＢ１−Ｂ２で切断した矢視図である。
【図３】本考案の過負荷保護器と起動装置の接続を示す電気回路図である。
【図４】図４（Ａ）は圧縮機外郭に配設された３ピンガラスターミナルの正面図であり、図４（Ｂ）は左側面図（圧縮機外郭はＣ１−Ｃ２で切断）であり、図４（Ｃ）及び図４（Ｄ）は、図４（Ａ）及び図４（Ｂ）にそれぞれ本考案の第１実施形態に係る過負荷保護器を取り付けた図である。
【図５】本考案の過負荷保護器のサーモスイッチ部の第２可動接点を、双子接点にした図であり、図５（Ａ）は第２のバイメタルに第２の可動接点が溶接された正面図、図５（Ｂ）は同左側面図であり、図５（Ｃ）はサーモスイッチ部に組み込まれた状態を示す断面の斜視図である。
【図６】本考案の第２実施形態に係る過負荷保護器の構成を示し、図６（Ａ）はサーモスイッチ部の正面図であり、図６（Ｂ）は右側面図である。図６（Ｃ）はプロテクタ部の平面図であり、図６（Ｄ）は背面図である。図６（Ｅ）はプロテクタ部の背面にサーモスイッチ部を取り付けた図であり、図６（Ｆ）は図６（Ｅ）のＤ１−Ｄ２で切断した矢視図である。
【図７】本考案の第３実施形態に係る過負荷保護器の構成を示し、図７（Ａ）はサーモスイッチ部の正面図であり、図７（Ｂ）は右側面図である。図７（Ｃ）はプロテクタ部の平面図であり、図７（Ｄ）は背面図である。図７（Ｅ）はプロテクタ部の背面にサーモスイッチ部を取り付けた図であり、図７（Ｆ）は図７（Ｅ）のＥ１−Ｅ２で切断した矢視図である。
【図８】本考案の第４実施形態に係る過負荷保護器と起動装置の構成を示し、図８（Ａ）は過負荷保護器を嵌め込む前の起動装置の底面図、図８（Ｂ）は同側面図であり、図８（Ｃ）は過負荷保護器を嵌め込み起動装置と一体となった状態の底面図、図８（Ｄ）は同側面図、図８（Ｅ）は同等角投影図、図８（Ｆ）は圧縮機外郭に配設された３ピンガラスターミナルに取付けた図である。
【図９】従来の過負荷保護器と起動装置の接続を示す電気回路図である。
【考案を実施するための形態】
【００２７】［第１実施形態］
本考案の請求項１を示す第１実施形態の構成を図１〜図４を参照して説明する。過負荷保護器１０のプロテクタ部２０は、図２（Ｂ）及び（Ｃ）に示すように固定接点１を支持する固定接点板８と、固定接点１に接触する可動接点２を支持する可動接点板３と、可動接点板３を揺動させ固定接点１と可動接点２との接触を断つ皿形のバイメタル４と、固定接点１と可動接点２とに直列に接続されバイメタル４を加熱するヒータ５等から成り、樹脂製のケース６とカバー７により密閉、又は開口部の少ない状態で収納されている。
【００２８】  次に、サーモスイッチ部３０は、第２の固定接点１１と第２の可動接点１２、及び第２のバイメタル１４から成り、プロテクタ部ケース６のヒータ収容部壁面６ａと一体になって外側に形成されたサーモスイッチ収納部６ｂに組み込まれて樹脂製の第２のカバー１７で蓋をされている。
【００２９】  図３は過負荷保護器１０と起動装置の接続を示す回路図である。プロテクタ部は交流電源９０と、圧縮機電動機６０の主巻線６１と補助巻線６２が接続された３ピンガラスターミナル４０のＣ端子４１との間に配置され、サーモスイッチ部３０は正特性サーミスタによる起動装置５０と起動用コンデンサ７１の間に配置される。
【００３０】  上記説明した過負荷保護器の動作について冷蔵庫を例に図３、及び図４を参照して説明する。
最初に冷蔵庫の電源プラグをコンセントに差し込む場合は、圧縮機電動機６０が発熱し圧縮機外郭６３の温度が上昇するまでの３０分〜６０分間はサーモスタット部３０が開路しないため起動装置５０の電流を遮断することができず省エネ効果が得られないが、過負荷保護器１０は図４に示すように圧縮機外郭６３に配置された３ピンガラスターミナル４０のＣ端子４１に取り付けられ、他の端子に起動装置５０を取り付けた後電装カバー取付板６４に勘合して図示しない電装カバーが被せられた状態となるため、一旦温度が上昇すれば電装カバー内は比較的高い温度に保たれ、圧縮機電動機６０の運転によるプロテクタ部ヒータ５の発熱によるヒータ収容部壁面６ａの温度上昇により更に加熱されてサーモスタット部３０が開路し、起動装置５０の電流が遮断されて省エネ状態となる。
【００３１】  冷蔵庫内の温度が設定温度まで下がり温調スイッチ８０が開路すると、圧縮機電動機６０が停止しプロテクタ部２０の温度が低下することでサーモスタット部３０が閉路し、次の起動に備える状態となるが、通常の冷蔵庫温調スイッチ８０の動作による休止時間では熱容量の大きな圧縮機の外郭温度の低下は少なく、温調スイッチ８０が閉路して再起動する時には短時間でサーモスタット部３０が開路し省エネ状態となる。
【００３２】［第２実施形態］
図６を参照して請求項６を示す第２実施形態に係る過負荷保護器の構成について説明する。
図２を参照して上述した第１実施形態では、サーモスイッチ部３０はプロテクタ部ケース６のヒータ収容部壁面６ａと一体になって外側に形成されたサーモスイッチ収納部６ｂに組み込まれて樹脂製の第２のカバー１７で蓋をされていた。これに対して、第２実施形態の過負荷保護器では、サーモスイッチ部３０は第２のケース１６に収納されて第２のカバー１７で蓋をされ、第２のケース１６、及び第２のカバー１７にはそれぞれ、プロテクタ部ケース６のヒータ収容部壁面６ａの外側に形成されたスライド式の連結溝部６ｃ、６ｄに勘合する連結爪部１６ａ、１７ａ、１７ｂ、１７ｃを有し、スライドさせて嵌め込むことでプロテクタ部と一体化される。
【００３３】［第３実施形態］
図７を参照して請求項７を示す第３実施形態に係る過負荷保護器の構成について説明する。
図６を参照して上述した第２実施形態では、サーモスイッチ部３０は樹脂製のケース・カバーに組み込まれて、プロテクタ部ヒータ収容部壁面にスライドさせて嵌め込むことでプロテクタ部と一体化されていた。これに対して、第３実施形態の過負荷保護器では、サーモスイッチ部３０は、サーモスイッチ３５の外郭３６を熱伝導の良い金属製として樹脂製のサーモスイッチホルダ１８に嵌め込み、該サーモスイッチホルダに設けた連結爪部１８ａ、１８ｂ、１８ｃ、１８ｄを、プロテクタ部ケース６のヒータ収容部壁面６ａの外側に形成されたスライド式の連結溝部６ｃ、６ｄにスライドさせて嵌め込むことで前記金属製の外郭３６の一面が前記ヒータ収容部壁面６ａの外側にほぼ密着した状態でプロテクタ部２０と一体化される。この結果、ヒータの通電／非通電によるヒータ収容部壁面６ａの温度上昇／下降が素早く第２のバイメタル１４に伝わり、サーモスイッチ３５が短時間で開路／閉路することができる。
【００３４】［第４実施形態］
図８を参照して請求項８を示す第４実施形態に係る過負荷保護器と起動装置の構成について説明する。
第４実施形態に係る起動装置５０には、図８（Ａ）に示すように過負荷保護器１０を嵌め込むための過負荷保護器収容部５１が設けられており、過負荷保護器１０を嵌め込んだ後サーモスイッチ部から引き出されたリード線３１ａ、３１ｂを起動装置５０の預け端子５２ａ、５２ｂに接続した状態にし、図８（Ｆ）に示すように圧縮機外郭６３に配設された３ピンガラスターミナル４０に取付けられる。
【符号の説明】
【００３５】１  固定接点
２  可動接点
３  可動接点板
４  バイメタル
５  ヒータ
６  ケース
６ａ  ヒータ収容部壁面
６ｂ  サーモスイッチ収納部
６ｃ、６ｄ  スライド式の連結溝部
６ｅ  連結溝部の切り欠き部
７  カバー
７ａ  カバーの切り欠き部
８  固定接点板
８ａ  固定接点板の溶接代
９  ピン端子
１０、１０’  過負荷保護器
１１  第２の固定接点
１２  第２の可動接点
１４  第２のバイメタル
１６  第２のケース
１６ａ  第２のケースの連結爪部
１７  第２のカバー
１７ａ、１７ｂ、１７ｃ  第２のカバーの連結爪部
１８  サーモスイッチホルダ
１８ａ、１８ｂ、１８ｃ、１８ｄ  サーモスイッチホルダの連結爪部
２０  プロテクタ部
３０  サーモスイッチ部
３１ａ、３１ｂ  リード線
３５  サーモスイッチ
３６  サーモスイッチの外郭
４０  ３ピンガラスターミナル
４１  ３ピンガラスターミナルのＣ端子
５０  正特性サーミスタ起動装置
５１  過負荷保護器収容部
５２ａ、５２ｂ  預け端子
６０  圧縮機電動機
６１  圧縮機電動機の主巻線
６２  圧縮機電動機の起動巻線
６３  圧縮機の外郭
６４  電装カバー取付板
７１  起動用コンデンサ
７２  運転用コンデンサ
８０  冷蔵庫温調スイッチ
９０  交流電源
【図１】
0003160946.tif 000003
【図２】
0003160946.tif 000004
【図３】
0003160946.tif 000005
【図４】
0003160946.tif 000006
【図５】
0003160946.tif 000007
【図６】
0003160946.tif 000008
【図７】
0003160946.tif 000009
【図８】
0003160946.tif 000010
【図９】
0003160946.tif 000011